Podtech/llm-jp-corpus-v4-ja_patent huggingface dataset:
(57)【要約】      （修正有）【課題】フロント重心又はセンター重心時におけるルアーキャスト時の飛行姿勢の安定化を図り、飛距離を伸ばすことができるルアーを提供する。【解決手段】ルアー本体腹部２ｄのフック係止部４，５の間に２ｆ、２ｇ、２ｈのように切り込みを入れる。複数の切り込みをいれる。切込みを入れただけで、ルアーのウエイト位置をずらすことなく飛行姿勢を安定させることができ、それにより飛距離を伸ばすことが出来る。ルアー本体前部に切り込みを入れると飛行姿勢が下向きになり安定しないため、ルアー本体腹部２ｄから後部の位置に切り込みをいれることがよい。また、ルアー本体腹部２ｄから後部の位置に入れる切込みは、単数では、空気の抵抗が弱すぎるため効果を発揮しない。切込みを複数入れることにより空気の通り道ができ、飛行姿勢が、安定するのである。【選択図】図１
0003144940.tif 000002
【実用新案登録請求の範囲】
【請求項１】
ルアー本体の腹部から後部に複数の切り込みを入れることを特徴とするルアー。
【考案の詳細な説明】
【技術分野】
【０００１】
本考案は、釣りに使用するルアーに、関するもので、フロント重心とセンター重心の、ミノー、ペンシル、ジグなどと総称されている形状の、キャスティングルアーに関するものである。
【背景技術】
【０００２】
従来から、フロント重心及びセンター重心のルアーは、着水後のフォール姿勢が、テール重心より、よりベイトの動きに近いため魚の興味を惹きつける効果がある。
【考案の開示】
【考案が解決しようとする課題】
【０００３】
しかし、フロント重心、及びセンター重心のルアーは、ルアーキャスト時の飛行姿勢が悪く飛距離が伸びないことがわかった。
【０００４】
この場合、このジャンルのルアーの多くは、ラインを結んでいるフロントアイの方からとぶため、ルアーが空中で舞うので糸がらみの原因に、なることが解かった、
【０００５】
それを改善するために本考案は、フロント重心及びセンター重心のルアーの、着水後のフォール姿勢や動きをまったく損なわずに、ルアー本体の下腹部から後部にかけて、複数の切込みを入れることにより、ルアーをキャストする時の飛行姿勢を安定させ、なおかつ飛距離を伸ばすことが出来るルアーを提供することを課題とする。
【課題を解決するための手段】
【０００６】
以上の課題を解決するために、本考案のルアーは、腹部２ｄより後部２ｃに複数の切込みが入っていることを特徴とするものである。
【考案の効果】
【０００７】
以上のように本考案のルアーの形状は、従来のフロント重心及びセンター重心型のルアーとは異なり、腹部より後部に複数の切込みを入れることで、ルアーのキャスト時における、ルアーの飛行姿勢がまっすぐになり、飛距離が確実に伸ばすことが出来るようになり、ルアーの泳ぎ方も良くなっているのである。
【考案を実施するための最良の形態】
【０００８】
以下、図面を参照して本考案の実施の形態を説明する。図1及び図2に示す本考案によるルアーは、図3の餌となる魚などの形を模した従来のルアー本体に改良を加えたものである。
【０００９】
ルアー本体２には、左右共にルアーの目となる目玉シール2aが取り付けられている。
【００１０】
ルアー本体腹部２ｄのフック係止部4,5の間に2f、2ｇ、2hのように切り込みを入れる。
複数の切り込みをいれる。切込みを入れただけで、ルアーのウエイト位置をずらすことなく飛行姿勢を安定させることができ、それにより飛距離を伸ばすことが出来る。
【００１１】
ルアー本体前部に切り込みを入れると飛行姿勢が下向きになり安定しないため、ルアー本体腹部２ｄから後部の位置に切り込みをいれることがよい。
【００１２】
また、ルアー本体腹部２ｄから後部の位置に入れる切込みは、単数では、空気の抵抗が弱すぎるため効果を発揮しない。切込みを複数入れることにより空気の通り道ができ、飛行姿勢が、安定するのである。
【００１３】
本実施形態では、ペンシル型ルアーでおこなったが、フロント重心及びセンター重心の、リップ付きミノー、リップレスミノー及びポッパー、メタルジグなどのキャスティングルアーにおいて有効である。
【００１４】
ルアー本体2の形状、材質等については適宜設計変更可能であり、その大きさや形状を変更することで重さにバリエーションを持たせることができる。
【図面の簡単な説明】
【００１５】
【図１】本考案に係るペンシル型ルアーを示す側面図
【図２】同上のルアーをルアー本体腹部より見た状態を示す側面図
【図３】従来のペンシル型ルアーを示す側面図
【符号の説明】
【００１６】
１  本考案のルアー
１a  従来のルアー
２  ルアー本体
2a  目玉シール
2b  ルアー本体前頭部
2c  ルアー本体後部
2d  ルアー本体腹部
2e  ルアー本体背部
2f  ルアー本体切り込み1
2g  ルアー本体切り込み2
2h  ルアー本体切り込み3
3  ライン係止部
４，５  フック係止部
６，７  連結用リング
８，９  フック
R  釣糸
【図１】
0003144940.tif 000003
【図２】
0003144940.tif 000004
【図３】
0003144940.tif 000005
(57)【要約】      （修正有）【課題】箸に、飲食に用いる他の部材を装着して設けることにより、あらゆる料理にも適用できる箸を提供する。【解決手段】一膳の箸本体１のそれぞれ上端部に、スプーンＡ、フォークＢの頭部をそれぞれ一体、あるいは、着脱可能に設けたことを特徴とす箸の構造から構成され、また、箸本体１は、スプーンＡ、フォークＢとそれぞれ、一体に形成してもよく、また、中途でネジにて着脱自在に設けてもよく、嵌着脱可能に設けてもよく、これらは、ケース４に収納して胸の内ポケット等に入れて持ち歩けば、嵩張ることなく、また、誤って転倒しても、危なくない。【選択図】図１
0003144969.tif 000002
【実用新案登録請求の範囲】
【請求項１】
一膳の箸本体（１）のそれぞれ上端部に、スプーン（Ａ）、フォーク（Ｂ）の頭部をそれぞれ一体に、あるいは、着脱可能に設けたことを特徴とする箸。
【考案の詳細な説明】
【技術分野】
【０００１】
この考案は、箸に関するものである。
【背景技術】
【０００２】
従来より、箸は、日本人にとって、古くより慣れ親しんだ食生活には欠かせないものであり、今後も、引続き日本食だけでなく、日本の文化の一つとして絶対に欠かせないアイテムの一つである。
【０００３】
しかし、近年、世界的に問題となっている地球温暖化について、森林の伐採による森林破壊も原因の一つとされ、その森林伐採の原因の一つに、伐採された木材を用いて現地で箸を造り、安価な値段で大量に日本に向けて輸出しており、その結果、日本人が、発展途上国の森林資源を伐採して箸を製造させ、その箸を安価に大量に輸入し、使い捨てをしているとの、非難を受けている。
【０００４】
しかしながら、飲食店等で、店に常備された箸を、客が使用した後に洗い、さらに次の客に使用させ、再三使用したりする店もあるが、それが、例え、高級な塗り箸であっても、日本人の衛生観念からすると、他人の使用した箸を使用することには、やはり、抵抗感があり、一回毎に、廃棄する安価な使い捨て箸の方が安心するものである。
【０００５】
そこで、最近、資源の無駄使いを『もったいない』とし、自分の箸を『マイ箸』と称し、外食の都度、自分用の箸を持参して使用することにより、資源のむだ遣いを防止する試みが一部でなされている。
【考案の開示】
【考案が解決しようとする課題】
【０００６】
そこで、この考案は、マイ箸に、今、一歩工夫改良を重ね、箸の上端部に、飲食に用いる他の部材を装着して設けることにより、日本食だけでなく、あらゆる他の料理にも使用でき、便利で、安全なマイ箸を開発し、提供することにある。
【課題を解決するための手段】
【０００７】
この考案は、一膳の箸本体のそれぞれ上端部に、スプーン、フォークの頭部をそれぞれ、一体に設けるか、あるいは、着脱可能に設けたものである。
【考案の効果】
【０００８】
この考案によると、箸は、本来の箸として使用でき、また、箸を逆に持ち、カレーやスープ、茶碗蒸しや豆腐等柔らかい料理に対しては、スプーンの方を使用し、根菜類や肉等にはフォークを利用すればよく、一膳の箸で、和食・中華・洋食の各料理に対応でき、また、自分専用の箸であるため、清潔で、衛生的にも安全であり、さらに、独身者や夫婦共働きの家庭等では、洗い物を少なくすることにより、水道水の節約が出来たり、洗い物の時間を短縮でき、その残った時間を他に有効利用出来る等極めて有益なる効果を奏するものである。
【考案を実施するための最良の形態】
【０００９】
次に、この考案の一実施例を図１に基づいて詳細に説明すると、一膳の箸本体（１）のそれぞれ上端部に、スプーン（Ａ）、フォーク（Ｂ）の頭部をそれぞれ一体に設けるか、あるいは、箸本体（１）と着脱可能に設けたことを特徴とする箸の構造から構成される。  
【００１０】
尚、箸本体（１）は、スプーン（Ａ）、フォーク（Ｂ）の頭部とそれぞれ、一体に形成してもよく、また、他の実施例としては、箸本体（１）の中途でネジ（２ａ）（２ｂ）にて着脱自在に設けてもよい。
【００１１】
また、箸本体（１）と、スプーン（Ａ）、フォーク（Ｂ）は突起（３ａ）と該突起（３ａ）に密嵌挿する穴（３ｂ）で嵌着脱可能に設けてもよい。
【００１２】
そして、これらは、さらにケース（４）に収納して胸の内ポケット等に入れて持ち歩けば、嵩張ることなく、また、誤って転倒しても、危なくないものである。
【００１３】
また、この考案による箸本体（１）を、高級素材を用いたり、漆塗り等の高級加工したものを使用すれば、より愛着も高まり、いつまでもマイ箸として持ちつづけることもでき、衛生的で資源のむだ遣いを防止することができる。
【産業上の用可能性】
【００１４】
この考案の箸の技術を確立し、大量に実施・販売することにより、産業上の用可能性があるものである。
【図面の簡単な説明】
【００１５】
【図１】この考案の一実施例を示す斜視図である。
【図２】この考案の他の実施例を示す着脱部を示し、（ａ）はネジの例を示す一部欠截斜視図であり、（ｂ）は、差し込み状態を示す一部欠截斜視図である。
【図３】この考案のケースへの収納状態を示す斜視図である。
【符号の説明】
【００１６】
１  箸本体
２ａ  ネジ
２ｂ  ネジ
３ａ  突起
３ｂ  穴
４  ケース
Ａ  スプーン
Ｂ  フォーク
【図１】
0003144969.tif 000003
【図２】
0003144969.tif 000004
【図３】
0003144969.tif 000005
(57)【要約】      （修正有）【課題】高級感を有するステッキを提供する。【解決手段】木製のステッキ１であって、ステッキ１の上端側に、ステッキ１の正面側に開口する深さ３ｍｍ〜１０ｍｍの孔４が設けられ、当該孔４と嵌合する形状の宝石５が嵌め込まれていることを特徴とする。最も人目に付きやすい頭部正面（上端側の正面）に宝石が嵌め込まれているため、装飾性が高く、高級感を有する。また、単に宝石を貼り付けただけでは宝石が取れやすいが、宝石がステッキ頭部に埋め込まれているため、宝石が外れる心配がない。【選択図】図２
0003144305.tif 000002
【実用新案登録請求の範囲】
【請求項１】
木製のステッキであって、
ステッキの上端側に、ステッキの正面側に開口する深さ３ｍｍ〜１０ｍｍの孔が設けられ、当該孔と嵌合する形状の宝石が嵌め込まれていることを特徴とするステッキ。
【請求項２】
前記ステッキが唐木からなることを特徴とする、請求項１に記載のステッキ。
【請求項３】
前記ステッキが、棒状のステッキ本体と、その上端部に嵌着固定されたグリップ部材とを有することを特徴とする、請求項１または２に記載のステッキ。
【考案の詳細な説明】
【技術分野】
【０００１】
本考案は、頭部正面に宝石が取り付けられた木製のステッキに関する。
【背景技術】
【０００２】
ステッキは、手に持って地面につき、歩行の助けとするという実用的な目的を有するものであるとともに、アクセサリー的な側面も有するため、実用性やデザイン性に富んだ様々な種類のステッキが販売されており、ステッキにこだわりを持つ人は多い。
また、使い続けるほど愛着が沸くという一面を有するものであることから、頑丈で長期間の使用に耐えるとともに、高級感を有し、他と差別化されたオリジナリティの高い製品が望まれている。木製のステッキは、金属に比べて高級感があり、使い続けるほど手になじむものであるため人気が高く、材質や形状にこだわった様々なステッキがある。
【考案の開示】
【考案が解決しようとする課題】
【０００３】
しかし、木の材質や形状のみでは他と差別化を図るのに限度があるという問題があり、よりオリジナリティの高いステッキが求められていた。
【課題を解決するための手段】
【０００４】
本考案者は、上記課題を解決するために検討した結果、木製のステッキの頭部正面に宝石を取り付けることに想到し、前記課題を解決した。
【０００５】
すなわち本考案は、木製のステッキであって
ステッキの上端側に、ステッキの正面側に開口する深さ３ｍｍ〜１０ｍｍの孔が設けられ、当該孔と嵌合する形状の宝石が嵌め込まれていることを特徴とする。
【０００６】
本考案にかかるステッキは、木製であり、最も人目に付きやすい頭部正面（上端側の正面）に宝石が嵌め込まれているため、装飾性が高く、高級感を有する。また、単に宝石を貼り付けただけでは宝石が取れやすいが、本考案では宝石がステッキ頭部に埋め込まれているため、宝石が外れる心配がない。
【０００７】
前記ステッキは、非常に堅く頑丈な木材である、ガーナ花林、紫檀、黒丹、花林といった唐木からなることが好ましい。
また、棒状のステッキ本体とグリップ部材を別体として形成し、ステッキ本体の上端部にグリップ部材を嵌着して取り付けることが好ましい。
【考案の効果】
【０００８】
上述したように、本考案によれば、高級感と強度を有し、独自性の高いステッキを提供することができる。
【考案を実施するための最良の形態】
【０００９】
ステッキに埋め込まれる宝石の例としては、トルコ石、ファイヤーオパール、ペリドット、オパール、ブルートパーズ、アメジスト等が挙げられるが、これらに限定されない。近年、宝石が種類ごとにパワーや意味を持つとされ、特定の宝石を御守り代わりに身につける人が増えているため、このような宝石を用いれば、宝石の色や輝きといった外観だけでなく、宝石の持つ意味による個性化や差別化を図ることができ、また、そのような優品を所有する満足感を得ることができる。
【００１０】
宝石が嵌め込まれる孔の深さは３ｍｍ以上１０ｍｍ以下が好ましい。３ｍｍより浅いと宝石が外れる恐れがあり、１０ｍｍより深いとステッキの強度が弱くなる恐れがある。より好ましい孔の深さは、３ｍｍ以上５ｍｍ以下である。
【００１１】
ステッキの全体形状は、略Ｌ字状、略Ｔ字状、略Ｕ字状等、特に限定されない。本考案において、ステッキの上端側とは、ステッキの全体形状における最上端から１０ｃｍ以内の範囲を指す。棒状のステッキ本体（支柱部分）とグリップ部材（手握り部分）を別体として形成し、ステッキ本体の上端部にグリップ部材を嵌着固定してステッキを形成する場合、グリップ部材に、ステッキ本体の上端部と対応する形状の凹部を形成し、この凹部にステッキ本体の上端部を挿入して固着することが好ましい。
【００１２】
以下、本考案を実施例を用いてより詳細に説明する。
【実施例１】
【００１３】
図１に、本考案にかかるステッキの一実施例の正面図および側面図を示し、図２に、図１のステッキの頭部部分の側面透視図およびＢ−Ｂ線断面図を示す。図に示すように、本実施例のステッキ１は、丸みを帯びたグリップ部材３を有し、全体として略Ｌ字状をなしている。図２に示すように、ステッキ本体２の上端部に四角柱（９ｍｍ角）状の凸部を形成し、グリップ部材３の正面側の端部の底面に、前記凸部と対応する形状の凹部６を設け、グリップ部材３の凹部６とステッキ本体２の凸部を嵌め合せて固着することにより両者を固定している。ステッキの最上端から約２０ｍｍの位置に、ステッキ正面側から、直径１０ｍｍ、深さ５ｍｍの円柱状の孔４を形成し、この孔４に、孔４とほぼ同形状・同サイズに加工した宝石５を嵌め込むことにより、ステッキ１の頭部正面に宝石５を取り付けている。
【００１４】
ステッキ本体２およびグリップ部材３には、原木を適当なサイズに製材した後、自然乾燥で１０年以上乾燥した唐木（本実施例では本花林を用いた）を用い、ステッキ本体２とグリップ部材３に適するサイズに裁断した後、削り作業・磨き作業（荒磨き・中磨き・仕上げ磨き）を行った。その後、グリップ部材３の凹部６に接着剤を塗布し、ステッキ本体２の上端の凸部をグリップ部材３の凹部６に嵌め込んで固着した。ステッキ本体２とグリップ部材３を組立後、ステッキの正面側から上記サイズの孔４を穿ち、接着剤を塗布し、孔４と同サイズ・同形状の宝石５（本実施例ではトルコ石を用いた）を孔に嵌め込んで固着した。製作には、のみ、かんな、小刀、穴あけ、研磨機を用い、接着剤には、強力石材・木材接着剤を用いた。
【００１５】
得られたステッキは、宝石が頭部正面に埋め込まれているため装飾性が高く、高級感を呈し、また、宝石が外れたり、位置ずれすることなく長期間使用することができる。特に、ステッキの材質が唐木であるため、高級感があるだけでなく、十分な強度を有し、長期間の使用に耐えるステッキを得ることができた。
【図面の簡単な説明】
【００１６】
【図１】本考案にかかるステッキであって、（Ａ）は正面図、（Ｂ）は側面図である。
【図２】図１のステッキであって、（Ａ）は頭部部分の側面透視図、（Ｂ）はＢ−Ｂ線断面図である。
【符号の説明】
【００１７】
１  ステッキ
２  ステッキ本体
３  グリップ部材
４  孔
５  宝石
６  凹部
【図１】
0003144305.tif 000003
【図２】
0003144305.tif 000004
(57)【要約】      （修正有）【課題】目の周囲や額の部分も、紫外線よけや日焼け防止等が出来るタオルを提供する。【解決手段】長方形のタオル本体２の一方の長手方向辺２−１の略中央部分であって、且つ該長手方向辺２−１からほぼ人間の目の上から額の上端までの長さに相当する長さＤだけ離れた位置に、該長手方向辺２−１に沿って人間の目の間隔に相当する間隔Ｌで、穴を２つ開ける構成とした。穴３を目に当てがい、両端を頭の後ろに回して結ぶと、目を除いて、顔全体をタオル１で覆うことが可能となる。【選択図】図１
0003144381.tif 000002
【実用新案登録請求の範囲】
【請求項１】
長方形のタオル本体（２）の一方の長手方向辺（２−１）の略中央部分であって、且つ該長手方向辺（２−１）からほぼ人間の目の上から額の上端までの長さに相当する長さ（Ｄ）だけ離れた位置に、該長手方向辺（２−１）に沿って人間の目の間隔に相当する間隔（Ｌ）で、穴（３）を２つ開けたことを特徴とするタオル。
【考案の詳細な説明】
【技術分野】
【０００１】
本考案は、顔を覆いつつ作業等をするのに便利なタオルに関するものである。
【背景技術】
【０００２】
図３は、従来のタオルの１例を示す図である。図３において、１はタオルである。
周知のように、タオル１は細長い長方形の布から成っており、その本来の用途は、濡れた手や身体を拭いたりすることである。しかしながら、タオル１は、顔の日焼けを防止したり、粉塵や農薬を吸い込むのを防止したりしたい場合に、顔を覆う手軽な手段としてしばしば用いられている。最近では、太陽光に含まれている紫外線を浴びると、健康に悪影響を及ぼすことが広く知られるようになって来たこともあり、紫外線をよける意味をも込め、顔を覆う手段として用いられるようになっている。
【０００３】
図４は、従来のタオルの使用例を示す図である。図４において、１はタオル、４は帽子、５は人である。
農園等で作業する人５は、汗を拭くために必ずタオル１を持っているものであるが、そのタオル１で、紫外線よけや日焼け防止のために顔を覆う。その場合、タオル１の中央部分を鼻の所に当てがい、タオル１の両端を頭の後ろで結んでずり落ちないようにしている。
こうすれば、鼻から下はタオル１に覆われるから、太陽光に当たらず、紫外線をよけたり日焼けを防止したりすることが出来る。
【０００４】
なお、従来のタオルには前記したような通常のタオルの他、次のようなものもある。実用新案登録第３１１９０２４号のタオルは、両端に手がかけれるような穴を開け、そこに手をかけて背中を拭くと、握力が弱った高齢者でも容易に背中が拭けるようにしたタオルである。また、実用新案登録第３１１９０２４号のタオルは、略中央部に１つの穴を開けておき、洗濯して干す時には、物干し竿に掛けた後、いずれか一方の端をこの穴に挿通して干すようにしたタオルである。このタオルでは、竿から落ちることがないので、洗濯挟が不用となる。
【特許文献１】実用新案登録第３１１９０２４号
【特許文献２】実用新案登録第３１１９０２４号
【考案の開示】
【考案が解決しようとする課題】
【０００５】
前記した従来のタオルでは、紫外線よけや日焼け防止等のために顔を覆う場合、目や額までも覆うと前方が見えなくなり、所要の作業が出来なくなってしまう。そのため、覆うことが出来るのは鼻から下の部分だけとなり、それより上はどうしても紫外線よけや日焼け防止等が出来ないという問題点があった。
本考案は、このような問題点を解決することを課題とするものである。
【課題を解決するための手段】
【０００６】
前記課題を解決するため、本考案のタオルでは、長方形のタオル本体の一方の長手方向辺の略中央部分であって、且つ該長手方向辺からほぼ人間の目の上から額の上端までの長さに相当する長さだけ離れた位置に、該長手方向辺に沿って人間の目の間隔に相当する間隔で、穴を２つ開けることとした。
なお、タオル本体の他方の長手方向辺に沿っても、同様にして２つの穴を開けた構成としてもよい。
【考案の効果】
【０００７】
本考案のタオルによれば、目の部分を除いて顔全体を覆うことが出来るので、従来のタオルに比べて紫外線よけや日焼け防止等を、効果的に行うことが出来るようになる。
【考案を実施するための最良の形態】
【０００８】
以下、本考案の実施形態を図面に基づいて詳細に説明する。
図１は、本考案のタオルを示す図である。符号は図３のものに対応し、２はタオル本体、２−１，２−２は長手方向辺、３は穴、Ｄは長さ、Ｌは間隔である。長さＤは、穴３から該穴３に近い長手方向辺２−１までの長さである。長さＤの大きさは、ほぼ人間の目の上から額の上端までの長さに相当する長さとする。間隔Ｌは、２つの穴３の中心の間隔である。間隔Ｌの大きさは、人間の目の間隔（目の中心間の間隔）に相当する間隔とする。
【０００９】
つまり、本考案のタオル１は、タオル本体２の一方の長手方向辺２−１の略中央部分であって、且つ該長手方向辺２−１からほぼ人間の目の上から額の上端までの長さに相当する長さＤだけ離れた位置に、該長手方向辺２−１に沿って人間の目の間隔に相当する間隔Ｌで、穴３を２つ開けて成るタオルである。
【００１０】
図２は、このような本考案のタオルの使用例を示す図である。符号は図１，図４のものに対応している。
このタオル１は、手や身体を拭こうとする場合、通常のタオルと同様に使えることは言うまでもないが、紫外線よけや日焼け防止等のために顔を覆うのに使おうとする場合は、次のようにして使うことが出来る。即ち、タオル１の略中央にある穴３から先が見えるように顔に当てがい、タオル１の両端を頭の後ろに回して結ぶ。
このようにすると、所要の作業をするためには覆ってしまうわけにはいかない目を除いて、顔全体を覆ってしまうことが出来る。そのため、従来のタオルでは覆うことが出来なかった鼻から上の部分についても、紫外線よけや日焼け防止等の効果を上げることが出来るようになった。
【図面の簡単な説明】
【００１１】
【図１】本考案のタオルを示す図
【図２】本考案のタオルの使用例を示す図
【図３】従来のタオルの１例を示す図
【図４】従来のタオルの使用例を示す図
【符号の説明】
【００１２】
１…タオル、２…タオル本体、３…穴、４…帽子、５…人、Ｄ…長さ、Ｌ…間隔
【図１】
0003144381.tif 000003
【図２】
0003144381.tif 000004
【図３】
0003144381.tif 000005
【図４】
0003144381.tif 000006
(57)【要約】      （修正有）【課題】一般家庭で簡単に新聞等を強く縛れる梱包用具を提供する。【解決手段】新聞ロックはＪ型又はＴ型の形状とし、ひもを十字方向に容易に変更でき、ひもを割れ目部(ａ、ｂ)に挟む事によりひもを結ばずに固定できる。従来新聞等をひもで固く縛ることは困難であったが新聞ロックを使用することで誰でも簡単に固く縛ることができる。【選択図】図１
0003144382.tif 000002
【実用新案登録請求の範囲】
【請求項１】
古新聞、古雑誌を縛る時Ｊ型器具の一部に割れ目を設けその割れ目にひもを挟むことによりひもを結ばずに新聞等を縛れる新聞ロック。
【請求項２】
古新聞、古雑誌を縛る時Ｊ型器具の内角を活用しひもの方向を容易に変更できることを特徴とする請求項1記載の新聞ロック。
【請求項３】
古新聞、古雑誌を縛る時Ｔ型器具の一部に割れ目を設けその割れ目にひもを挟むことによりひもを結ばずに新聞等を縛れる新聞ロック。
【請求項４】
古新聞、古雑誌を縛る時Ｔ型器具の内角を活用しひもの方向を容易に変更できることを特徴とする請求項3記載の新聞ロック。
【考案の詳細な説明】
【技術分野】
【０００１】
本考案は梱包用具の分野に関するもので一般にはベルト類に使用するものが多くありますが本考案品は一般家庭で使用する梱包用具の分野に属します。
【背景技術】
【０００２】
一般家庭から出される古新聞や古雑誌の縛り方は8割近くが緩くづるづるで回収業者が扱いに困っている。
【特許文献１】特開昭61-21359号公報
【考案の開示】
【考案が解決しようとする課題】
【０００３】
従来の梱包用具はベルト類に関するもので「ひも」に関するものは見当たらなかった。一般家庭で簡単に新聞等を強く縛れるものを開発すること。
【課題を解決するための手段】
【０００４】
本考案の新聞ロックはＪ型又はＴ型の形状としひもをＪ型又はＴ型の内角を活用することにより十字方向に容易に変更でき、ひも端を割れ目部(a、b又はc、d)に挟む事によりひも結ばずに固定できるものとする。
【考案の効果】
【０００５】
従来新聞等をひもで固く縛ることは困難であったが本考案の新聞ロックを使用することで誰でも簡単に固く縛ることができる。
【考案を実施するための最良の形態】
【０００６】
本考案の新聞ロックはひもを十字方向に容易に変更できるよう形状をＪ型又はＴ型としその1部に割れ目(a、b又はc、d)を設けその割れ目にひも端を挟んで固定しひもを結ぶことを不要とする。
【実施例１】
【０００７】
本考案の実施例(Ｊ型の使い方)を1図、2図によって詳細に説明する。
(イ)  新聞ロックの割れ目(a)部にひも端を新聞ロックと共に2回強く巻き割れ目(a)に入れ矢印1の方向に強く引く。
(ロ)  ひもを矢印1、2の順に新聞に横に巻く。
(ハ)  ひもを新聞ロックの下側より中を通し矢印3の方向へ1度強く引く。
(ニ)  ひもを強く引いたまま新聞ロックＢ部に2回左巻きにして矢印4、5の順で新聞を縦に巻く。
(ホ)  新聞ロックより約10cm長くひもを切りひもＣ部位の下を通し矢印6の方向へ引く。
(ヘ)  引いたひもを新聞ロックの割れ目(b)部に2回巻く。
(ト)  2回巻いたひもを新聞ロックの割れ目(b)に上から入れ新聞ロックＢ部の下を通し矢印7の方向へ強く引き、ひもＤ部位の下を通す。
【実施例２】
【０００８】
本考案の実施例(Ｔ型の使い方)を4図、5図によって詳細に説明する。
(イ)  新聞ロックの割れ目(c)部にひも端を新聞ロックと共に2回強く巻き割れ目(c)に入れ矢印8の方向に強く引く。
(ロ)  ひもを矢印8、9、10の順に新聞に横に巻く。
(ハ)  ひもを矢印10の方向へ一度強く引く。
(ニ)  ひもを強く引いたまま新聞ロックＦ部に1回巻き、矢印11、12の順で新聞を縦に巻く。
(ホ)  ひもを矢印13の方向へ強く引き新聞ロックＦ部に1回巻き、矢印14の方向へ巻く。
(ヘ)  ひもを新聞ロックの上下の割れ目(矢印d)に2回巻く(矢印15)。
(ト)  2回巻いたひもを約5cm残してきり、切り端を新聞ロックの下側(矢印16)へ入れる。
【図面の簡単な説明】
【０００９】
【図１】新聞ロック本体(Ｊ型新聞ロック)
【図２】ひもの使い方手順(Ｊ型新聞ロック)
【図３】新聞ロックの使用状態(Ｊ型新聞ロック)
【図４】新聞ロック本体(Ｔ型新聞ロック)
【図５】ひもの使い方手順(Ｔ型新聞ロック)
【図６】新聞ロックの使用状態(Ｔ型新聞ロック)
【符号の説明】
【００１０】
Ａ  新聞ロック本体(Ｊ型)
Ｂ  新聞ロックのＢ部位(Ｊ型)
Ｃ  ひものＣ部位(Ｊ型)
Ｄ  ひものＤ部位(Ｊ型)
Ｅ  新聞ロック本体(Ｔ型)
Ｆ  新聞ロックのＦ部位(Ｔ型)
a  新聞ロックの割れ目(Ｊ型)
b  新聞ロックの割れ目(Ｊ型)
c  新聞ロックの割れ目(Ｔ型)
d  新聞ロックの割れ目(Ｔ型)
1〜7  ひもを引く方向(Ｊ型)
8〜16  ひもを引く方向(Ｔ型)
【図１】
0003144382.tif 000003
【図２】
0003144382.tif 000004
【図３】
0003144382.tif 000005
【図４】
0003144382.tif 000006
【図５】
0003144382.tif 000007
【図６】
0003144382.tif 000008
(57)【要約】      （修正有）【課題】十分な装飾性を備えた美しい丁番を提供する。【解決手段】一対の金属製の取付板１、３を軸５を介して相互に回動自在に連結し、該取付板１（３）の表面には七宝焼き層７を形成する。七宝焼き層７は、取付板１の表面と取付板３の表面とに形成してもよいが、いずれかの取付板１又は３の表面にのみ形成しても差し支えない。七宝焼き層７は、一例として、取付板１（３）の表面に透明又は不透明なガラス質の釉薬を約１ｍｍの厚さに施し、６００〜９００℃程度の温度で焼成してなるものである。【選択図】図２
0003144389.tif 000002
【実用新案登録請求の範囲】
【請求項１】
一対の金属製の取付板を軸を介して相互に回動自在に連結し、該取付板の表面には七宝焼き層を形成してなることを特徴とする丁番。
【考案の詳細な説明】
【技術分野】
【０００１】
本考案は、丁番に関するものであり、特に家具等に用いられる装飾性の高い丁番に係るものである。
【背景技術】
【０００２】
丁番は、家具等における開口部に扉を開閉自在に取り付けるための手段として従来より広く使用されている。
【０００３】
従来より一般に使用されている丁番は、例えば実用新案登録第３０４９４８３号公報に示すように、一対の金属製の取付板を軸を介して相互に回動自在に連結してなるものである。
【特許文献１】実用新案登録第３０４９４８３号公報
【考案の開示】
【考案が解決しようとする課題】
【０００４】
上記従来の丁番は、家具等における開口部に扉を開閉自在に取り付けるための手段としては好ましいものであるが、一般に装飾性には十分な考慮が払われていない。すなわち、上記従来の丁番は、プレス模様ないし手打ち模様を備えているものもあるが、いずれも金属素材の単色を呈するに過ぎない。
【０００５】
家具等においては、特に扉を開いたときには丁番が目につき易いものであり、装飾性を有しない丁番は家具等の外観上好ましくない。
【０００６】
このような状況に鑑み、本考案は、十分な装飾性を備えた美しい丁番を提供しようとしてなされたものである。
【課題を解決するための手段】
【０００７】
上記課題を解決するために、本考案は、下記の如き丁番を提供するものである。
【０００８】
一対の金属製の取付板を軸を介して相互に回動自在に連結し、該取付板の表面には七宝焼き層を形成してなることを特徴とする丁番。
【考案の効果】
【０００９】
本考案による丁番は、取付板の表面に七宝焼き層を形成しているため、十分な装飾性を備えた美しいものである。すなわち、取付板の表面には、七宝焼き層のガラス状ないしエナメル状の美しい模様と色彩があらわれ、極めて好ましい外観を呈する。
【考案を実施するための最良の形態】
【００１０】
本考案による丁番は、一対の金属製の取付板１、３を軸５を介して相互に回動自在に連結し、該取付板１（３）の表面には七宝焼き層７を形成してなるものである。符号９に示すものはビス孔である。
【００１１】
表面に七宝焼き層７を形成する取付板１（３）は、銅、銀、金等により形成してもよいが、コストの面を考えれば銅により形成することが望ましい。
【００１２】
七宝焼き層７は、取付板１の表面と取付板３の表面とに形成してもよいが、いずれかの取付板１又は３の表面にのみ形成しても差し支えない。
【００１３】
七宝焼き層７は、一例として、取付板１（３）の表面に透明又は不透明なガラス質の釉薬を約１ｍｍの厚さに施し、６００〜９００℃程度の温度で焼成してなるものである。
【００１４】
七宝焼き層７を形成する七宝焼きとしては、例えば、有線七宝、彫金七宝、平脱七宝、油彩七宝等がある。
【図面の簡単な説明】
【００１５】
【図１】本考案による丁番の取付板を示す断面図である。
【図２】本考案による丁番の一例を示す斜視図である。
【符号の説明】
【００１６】
１  取付板
３  取付板
５  軸
７  七宝焼き層
９  ビス孔
【図１】
0003144389.tif 000003
【図２】
0003144389.tif 000004
(57)【要約】      （修正有）【課題】ビーズ装飾ブーケに簡単着脱機能を持たせ、必要最低限数のブーケで効率よく結婚式に相応しい華やかさを欠く事無く費用軽減できるブーケを提供する。【解決手段】花型１にワイヤー芯ビーズを使うことで折り倒し折り戻しが容易で他ブーケの取り付け取り外しは隙間空間３を利用して引き寄せ押し出しする。テグス芯ビーズ下垂部分４は、該ブーケを単体で持つときに、１と一体化し華やかさを醸し出すことができる。【選択図】図１
0003144324.tif 000002
【実用新案登録請求の範囲】
【請求項１】
単体で使用可能なブーケに、ドレスの色、デザイン合わせたその他ブーケを簡単に取り付け、取り外しができる機能を持たせたことが特長のブーケ。
【考案の詳細な説明】
【技術分野】
【０００１】本考案は、ドレスデザイン・色に合わせた其々のブーケを簡単に取り付け、取り外しできることを特長とした、単体でも使用できるように装飾を施したブーケに関するものである。
【背景技術】
【０００２】白のウェディングドレスを着用しブーケを持って教会挙式をする結婚式が増えています。教会挙式の演出の一つであるブーケトスセレモニーは、花嫁が持つブーケを参列者に投げ入れるのが通例ですが、その後の披露宴でも白ドレスでブーケを持ち入場する為に、トスに使用するブーケは別に用意しなくてはなりません。そしてお色直しで着用する色ドレスには、ドレスデザインや色を考慮した色ドレス用のブーケを用意します。又、時間が制限される結婚式では、新郎新婦のドレス姿の記念写真を事前に撮影し時間のゆとりを取るのが一般化しており、その時にもブーケを用意しなくてはなりません。このように結婚式を挙げるためにたくさんのブーケが必要となり、費用も嵩んできます。結婚式のブーケを思い出として残すために保存加工すると、又費用が嵩みます。
【考案の開示】
【考案が解決しようとする課題】
【０００３】結婚式を挙げるためにたくさんのブーケを用意することとなり、費用が嵩む事と成ります。費用を軽減する為に数着のドレスを着用するのにブーケを１点だけにしてしまうと其々のドレスを着た花嫁の魅力が半減してしまいます。参列者に投げる為のブーケを用意せずブーケトスセレモニーを行わなかったりすると教会挙式の華やかな演出がなくなってしまいます。事前写真撮影をせずに結婚式当日の記念写真撮影をすると時間制限がある結婚式の大切な時間を一部撮影時間とられ、慌しくなってしまいます。しかし簡単着脱式ブーケを使用することで、花嫁の作業負担も無くブーケの華やかな演出効果とともに予算を抑えることができます。
【課題を解決する為の手段】
【０００４】本考案の簡単着脱式ブーケは、単体でも使用出来るようにワイヤー芯ビーズで装飾した花型の上部とテグス芯ビーズを下垂させた下部で構成してあります。上部花型部分はワイヤー芯にしたことで折り倒し折り戻が容易です。下部の下垂部分にテグス芯ビーズを下げることで、上下一体感のある華やかなビーズブーケとなります。簡単着脱式ブーケに白ドレス用ブーケを取り付け教会挙式に臨み、その後のブーケトスセレモニーでは簡単着脱式ブーケから外した白ドレス用ブーケをトスします。簡単着脱式ブーケはワイヤー芯ビーズを折り戻し花型に再生し白ドレスで披露宴入場する際に持ちます。お色直しで着用するカラードレス用ブーケには、カラードレスの色に合う花色で作った補助ブーケを簡単着脱式ブーケに取り付け使用します。簡単着脱式ブーケ、白ドレス用ブーケ、色ドレス用補助ブーケの３点で、教会挙式時に持つブーケ、ブーケトスセレモニー用ブーケ、披露宴会場入場ブーケ、お色直し用カラードレス用ブーケ、事前写真撮影用白ドレス用ブーケと色ドレス用ブーケ、思い出のアフターブーケとして活用することができます。
【考案の効果】
【０００５】上記のように、本考案の簡単着脱式ブーケは結婚式当日に用意するブーケの軽減と共に事前写真撮影のための結婚式前のブーケが不要となり、結婚式後のブーケ保存加工に費用をかけずとも、ブーケを思い出と共に残すことが出来きます。又。簡単着脱式ブーケの上部花型部分をワイヤー芯ビーズを使用したことで、花嫁自身が簡単な作業のみで着脱できると共に、上部、下部共にビーズで装飾したことで結婚式に相応しい華やかさを添えることが出来ます。
【考案の実施するための最良の形態】
【０００６】簡単着脱式ブーケ上部のワイヤー芯ビーズ花型部分を、中心から四方に折り倒し表面を平らにします。取り付け用ブーケの持ち手先端を簡単着脱式ブーケの表面中心真上の隙間から裏側部分に通し引き寄せ、簡単着脱式ブーケの持ち手に副わせ２本の持ち手をしっかり持ちます。取り外し時は取り付けたブーケの持ち手を裏面から表面部分に押し出し引き抜きます。表面が平らになったままの簡単着脱式ブーケ上部は、四方に折倒したワイヤー芯ビーズを折り戻し花の形状に再生します。上記の動作を繰り返すことができます。
【実施例】
【０００７】以下、添付図面に従って一実施例を説明します。１はワイヤー芯ビーズで花型に形成された上部です。２は花型を形成するワイヤー芯が束ねられている中心です。２を基点に１を形成しているワイヤー芯を折り倒し平らにし、２の真上に隙間状に作った空間に他のブーケの持ち手を通し引き寄せ、５の持ち手部分に沿わせ取り付けが完了します。４の下垂部分は１の裏面に取り付けているので他ブーケがどのような形状でも邪魔になることはありません。【０００８】５に副わせた他ブーケの持ち手を前方に押し出すことで、１から引き離され取り外すことが出来ます。表面が平らなままの１に新たなブーケを再度取り付けるも良し、ワイヤー芯ビーズを其々中心方向におり戻し花型の再形成をしビーズ装飾の単体ブーケとして使用することもできます。
【図面の簡単な説明】
【０００９】
【図１】本考案の簡単着脱式ブーケ正面図です。
【図２】簡単着脱式ブーケ側面図です。
【符号の説明】
【００１０】１  簡単着脱式ブーケ花型部分
２  ワイヤー芯束ね中心
３  隙間状空間
４  簡単着脱式ブーケ下垂部分
５  簡単着脱式ブーケ持ち手部分
【図１】
0003144324.tif 000003
【図２】
0003144324.tif 000004
【手続補正書】
【提出日】平成20年4月23日(2008.4.23)
【手続補正１】
【補正対象書類名】実用新案登録請求の範囲
【補正対象項目名】全文
【補正方法】変更
【補正の内容】
【実用新案登録請求の範囲】
【請求項１】
ワイヤー芯ビーズで花型部分を形成しテグス芯ビーズを下垂部分に下げて束ねた本体ブーケは、花型部分のワイヤー芯ビーズを折り倒し平らにすると束ねた部分の上部に隙間空間が出来、花嫁が着用するドレスに相応しい色合いで作られた別途ブーケの持ち手部分を上記隙間部分に通し引き寄せ、本体ブーケの持ち手の面に押し下げて沿わせ双方の持ち手を一緒に握ることで取り付けが出来、別途ブーケの持ち手を押し上げ、隙間空間から押し出すことで本体ブーケから別途ブーケを取り外すことが出来、本体ブーケは花型部分ワイヤー芯ビーズを折り戻し花型に再生することで、単体のブーケとして使用できることを特徴としたブーケ。
(57)【要約】      （修正有）【課題】遊魚時において、遊魚規則に伴う放流魚サイズの計測・判別手段の効率化、リリースの意識化を図る為、原寸魚体表示の測定板を提供する。【解決手段】プラスチック板等に描かれた、放流制限表示の実寸法魚体表示１による判別手段の公正・効率化を特徴とする。スケール表示のついた実寸魚体表示板１に、計測ストッパー２側より実釣魚を頭部からのせ測定する。プラスチック透明板等に、実寸で描いた魚体絵図を用いた実寸法の魚体表示のため、釣魚寸法との対比が直ぐに解かる。【選択図】図１
0003144325.tif 000002
【実用新案登録請求の範囲】
【請求項１】
実寸法（１５ｃｍ）の魚体絵図およびスケールを描いた耐水性魚体体長測定板（１）
【請求項２】
計測のためのストッパー（２）
【考案の詳細な説明】
【技術分野】
【０００１】この考案は、放流（リリース）を目的とした、プラスチック透明板等に、実寸で描いた魚体絵図を用いた、体長測定板に関するものである。
【背景技術】
【０００２】従来は大物測定用としてのものであり、放流用（リリース）としては機能していない。
【考案の開示】
【考案が解決しようとする課題】
【０００３】渓流魚の多くは遊魚において体長制限が決められており、制限以下を持ち帰る等、遊魚規制に伴う違法行為が発生する。
これには次のような問題があった。
イ）体長制限の意識が無い。
ロ）制限付近の明確な測定を行わない。
ハ）簡単・小型の測定用具が無い。
本考案は、これらの問題を解決するためのものである。
【課題を解決するための手段】
【０００４】計測ストッパー（２）付き、スケール表示のついた実寸魚体表示板（１）による目視確認および魚体の測定
本考案は、以上のような構成による測定用具である。
【考案への効果】
【０００５】ほとんどの漁協では、渓流魚の場合体長制限は１５ｃｍ以下が放流サイズ（リリース）となっている。
イ）基準表示により放流サイズの認識を持ってもらうことが出来る。
ロ）実寸法表示の魚体絵図にて、放流サイズを即時に見分けることができ、魚を傷めない。
ハ）放流サイズ検測用のため、魚篭、ポケットに入る。
（耐水性があり携帯用として使用できる。）
ニ）透明板での使用は押し当てての測定が可能。
（両面が使え便利）
ホ）遊魚規制に伴うトラブルが減る。
（監視員等とのサイズ見解が一致する）
この発明は、幼魚の乱獲防止にも役立つと思われる。
【考案を実施するための最良の形態】
【０００６】スケール表示のついた実寸魚体表示板（１）に、計測ストッパー（２）側より実釣魚を頭部からのせ測定する。
実寸法の魚体表示のため、釣魚寸法との対比が直ぐに解かる。
【図面の簡単な説明】
【０００７】
【図１】正面図  実寸法の魚体絵図とスケール表示  リリースサイズ警告表示
【図２】側面図  計測概要
【符号の説明】
【０００８】  １  スケール表示のついた実寸魚体表示板
２  計測用ストッパー
【図１】
0003144325.tif 000003
【図２】
0003144325.tif 000004
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
計測のためのストッパーを有する、実寸法表示の魚体絵図および、スケールを描いた耐水性魚体体長測定板
(57)【要約】      （修正有）【課題】乳幼児や高齢者が、歯ブラシを床に落として、歯ブラシを汚すことを防止するとともに、落とした歯ブラシを拾い上げやすくする歯ブラシを提供する。【解決手段】歯ブラシ２の中央にあけられた穴３にヒモ１が通されており、そのヒモ１を首にかけて使用することにより、歯ブラシ２を落としても、床に落ちて汚れることを防止し、再に中央にヒモ１を通すことにより、落ちた歯ブラシ２が体と平行な状態で、吊り下がるので、拾う際に手首をかえす必要なく、拾い上げやすくなる。【選択図】図２
0003144350.tif 000002
【実用新案登録請求の範囲】
【請求項１】
歯ブラシの中央にあけられた穴に、首にかけるヒモを通し、歯ブラシを吊り下げられるようにしたヒモ付落下防止歯ブラシ。
【考案の詳細な説明】
【技術分野】
【０００１】本考案は、歯ブラシの中央に穴をあけ、ヒモを通すことにより、歯ブラシを落とした際、床に落下し、歯ブラシが汚れるのを防ぐとともに、落とした歯ブラシを拾い上げやすくしたヒモ付落下防止歯ブラシに関するものである。
【背景技術】
【０００２】従来は、歯ブラシの床への落下を防ぐものは何もなく、乳幼児や高齢者に歯ブラシを渡して、自分でみがかせるか、歯ブラシの使用が難しい場合は保護者や先生、介護者がかわりにみがいていた。
【考案の開示】
【考案が解決しようとする課題】
【０００３】乳幼児は手の力や動きが未熟な為、歯ブラシを持っても床に落としてしまうことが多い。
また、高齢者も徐々に手の力が弱くなるとともに、手の動きが鈍くなり、歯ブラシを床に落としやすくなる。床に落ちると、直接、口の中に入れて使用する歯ブラシが汚れて使えなくなってしまう。保育園などの場合、歯ブラシを落とした際、床に落ちて汚れた歯ブラシをその度にきれいに洗って、一人一人に再び持たせるのは忙しい先生にとって非常に大変である。また、手の未熟な乳幼児が落とした歯ブラシを簡単に拾い上げることも難しい。高齢者の場合、手の訓練の一つである歯みがきであるが、床に落とした度に拾い、きれいに洗う手間も介護者にとっては負担となる。また、高齢者にとっても、度々拾われることで、自分でみがくことへのあきらめの気持ちにつながりやすい。
【課題を解決するための手段】
【０００４】本考案は、歯ブラシの中央にあけられた穴に、首にかけるヒモを通し、歯ブラシを吊り下げられるようにしたことを特徴とするものである。
【考案の効果】
【０００５】上述のように、本考案のヒモ付落下防止歯ブラシは床に落ちないので、非常に衛生的である。また、歯ブラシを落としても床に落ちずに、お腹のあたりで吊り下がるので、乳幼児が再び拾って何度でも歯みがきに挑戦できる。
また、歯ブラシの中央にヒモを通すことによって、手から離れて落ちた際、体と平行な状態で歯ブラシが吊り下がるので、拾う際に手首をかえす必要がなく、簡単に拾うことができる。保護者や先生も、落ちた歯ブラシを何度も拾い、洗う手間がなくなる。高齢者の場合も、介護者の負担が減り、高齢者にとっても、周りへの気遣いなく、自分のペースで歯みがきを何度でも挑戦できる。
【実施例】
【０００６】以下、添付図面に従って、実施例を説明する。歯ブラシ２の中央の穴３に通っているヒモ１を首からかけて、歯ブラシ２をもって歯をみがく。
落とした際は、再び拾って、歯みがきを続ける。終わったら、首からヒモをとり、歯みがきは終了となる。
【図面の簡単な説明】
【０００７】
【図１】ヒモ付落下防止歯ブラシの全体図である。
【図２】ヒモを首にかけた際の正面図である。
【符号の説明】
【０００８】１  ヒモ
２  歯ブラシ
３  穴
【図１】
0003144350.tif 000003
【図２】
0003144350.tif 000004
(57)【要約】      （修正有）【課題】ＲＣの躯体仮枠・建物基礎仮枠・機械台仮枠の組み立て・解体などにおいて、作業の安全性・スピードアップを図った仮枠ハンマ−を提供する。【解決手段】ハンマ−の柄の一端にＴ字型にハンマ−部分とその反対側にクギヌキ部分を備え、ハンマ−の柄の他端にバ−ル部分を備えて仮枠ハンマ−を構成する。大きさは全長３０センチ〜４０センチぐらい。柄にはゴム製のグッリプ（又は、傷をつけるか凹凸をつけるかして、握った時にスリップしないようにする）をつける。材質的には、スチ−ル・ジェラルミン・ステンレスなどが適当と思われる。又、バ−ル部分は、ハンマ−部分とクギヌキ部分に対して同じ方向でも、ハンマ−部分とクギヌキ部分に対して直角の方向に向けても良い。【選択図】図１
0003144342.tif 000002
【実用新案登録請求の範囲】
【請求項１】
ハンマ−の柄の一端にＴ字型にハンマ−部分とその反対側にクギヌキ部分を備え、ハンマ−の柄の他端にバ−ル部分を備えた仮枠ハンマ−。
【考案の詳細な説明】
【技術分野】
【０００１】  本考案は、ＲＣの躯体仮枠・建物基礎仮枠・機械台仮枠の組み立て・解体などにおいて、作業の安全性・スピードアップを図った仮枠ハンマ−に関する。
【背景技術】
【０００２】それぞれハンマ−・クギヌキ・バ−ルがある。
【考案の開示】
【０００３】以下、本考案の実施の形態を図１に基づいて説明する。
【０００４】  ハンマ−部分とクギヌキ部分を一体化しや部位（従来あったもの）に、Ｔ字型にバ−ル部分を合体させたもの。
【考案が解決しようとする課題】
【０００５】  ＲＣの躯体仮枠・建物基礎仮枠・機械台仮枠の組み立て・解体などにおいて、それぞれの道具を持ち替える必要があった。その為に持ち替える手間が掛かった。  また３種類の道具を使うため煩雑になり足元の安全性が確保しにくい。
【課題を解決するための手段】
【０００６】  ハンマ−の柄の一端にＴ字型にハンマ−部分とその反対側にクギヌキ部分を備え、ハンマ−の柄の他端にバ−ル部分を備えた仮枠ハンマ−。
大きさ的には全長３０センチ〜４０センチぐらい。  柄にはゴム製のグッリプ（又は、傷をつけるか凹凸をつけるかして、握った時にスリップしないようにする。）をつける。  材質的には、スチ−ル・ジェラルミン・ステンレスなどが適当と思われる。  又、バ−ル部分は、ハンマ−部分とクギヌキ部分に対して同じ方向を考えているが、ハンマ−部分とクギヌキ部分に対して直角の方向に向けても可能である。
【考案の効果】
【０００７】ハンマ−・クギヌキ・バ−ルの３つの機能が一体化しているので、道具を持ち替える手間を省き、スピ−ドアップにつながり、煩雑さがなくなり安全性の向上につながる。
【考案を実施するための最良の形態】
【０００８】３つの機能を、使いやすいように組み合わせる。
【実施例】
【０００９】実際に私たちの現場では使用している。  １本持っていれば用が足りるので重宝している。
【産業上の利用可能性】
【００１０】ＲＣの躯体仮枠・建物基礎仮枠・機械台仮枠の組み立て・解体などにおいて、安全性・スピ−ドアップを提供できる。
【図面の簡単な説明】
【００１１】
【図１】  本考案の平面図
【図２】  ハンマ−部分とクギヌキ部分のハンマ−方向から見た斜視図
【図３】  ハンマ−部分とクギヌキ部分のクギヌキ方向から見た斜視図
【図４】  バ−ル部分の斜視図
【符号の説明】
【００１２】  １    仮枠ハンマ−
２    ハンマ−部分
３    クギヌキ部分
４    バ−ル部分
５    柄
６    グリップ
【図１】
0003144342.tif 000003
【図２】
0003144342.tif 000004
【図３】
0003144342.tif 000005
【図４】
0003144342.tif 000006